(57)【要約】【課題】構成の複雑化を招くことなく、より少ないエネルギー消費で燃焼室内の混合気に効率よく点火する。【解決手段】点火栓３１は、中心電極５１と接地電極５３との間に直流電圧が印加された場合は、中心電極５１の先端部５１ａと接地電極５３の先端部５３ａとの間の空隙５２に発生する直流放電により燃焼室３内の混合気に点火することができる。一方、電磁波が電磁波放射器から燃焼室３内へ向けて放射された場合は、点火栓３１は、中心電極５１の先端部５１ａ近傍及び接地電極５３の先端部５３ａ近傍にて燃焼室３内の電磁波の電界強度を局所的に高めることで発生するプラズマ放電により燃焼室３内の混合気に点火することができる。プラズマ放電による点火及び直流放電による点火のいずれかを選択的に行うことで、混合気の着火の際に消費される電気エネルギーを低減することができる。【選択図】図５
2008082286.tif 000002
【特許請求の範囲】
【請求項１】
燃焼室内の混合気に点火する内燃機関の点火装置であって、
燃焼室内に突出する点火用電極間に直流電圧が印加されることで発生する直流放電により燃焼室内の混合気に点火することが可能な点火栓と、
電磁波を発生させるための電磁波発生源と、
電磁波発生源にて発生した電磁波を燃焼室内へ向けて放射するための電磁波放射器と、
を備え、
点火栓は、
点火用電極間に直流電圧が印加された場合は、点火用電極間に発生する直流放電により燃焼室内の混合気に点火し、
電磁波発生源にて発生した電磁波が電磁波放射器から燃焼室内へ向けて放射された場合は、点火用電極近傍にて燃焼室内の電磁波の電界強度を局所的に高めることで発生するプラズマ放電により燃焼室内の混合気に点火する、内燃機関の点火装置。
【請求項２】
請求項１に記載の内燃機関の点火装置であって、
点火用電極の燃焼室内への突出長さが、電磁波の波長の０．１７倍以上且つ０．３３倍以下に設定されている、内燃機関の点火装置。
【請求項３】
請求項１または２に記載の内燃機関の点火装置であって、
電磁波発生源にて発生した電磁波を点火栓へ供給するための電磁波伝送手段を備え、
電磁波放射器として点火栓が電磁波発生源にて発生した電磁波を点火用電極から燃焼室内へ向けて放射する、内燃機関の点火装置。
【請求項４】
請求項３に記載の内燃機関の点火装置であって、
電磁波伝送手段は、導波管を含み、
点火栓の一端部が導波管内に挿入されており、
点火用電極が点火栓の他端部にて燃焼室内に突出している、内燃機関の点火装置。
【請求項５】
請求項１〜４のいずれか１に記載の内燃機関の点火装置であって、
燃焼室内の混合気に点火する際に、点火用電極間に直流電圧を印加するか、電磁波発生源にて電磁波を発生させて電磁波放射器から燃焼室内へ向けて放射するかを、混合気の空燃比に基づいて選択する、内燃機関の点火装置。
【請求項６】
請求項５に記載の内燃機関の点火装置であって、
混合気の空燃比が理論空燃比及びその近傍の範囲内であるときは、点火用電極間に直流電圧を印加する方を選択する、内燃機関の点火装置。
【請求項７】
請求項５または６に記載の内燃機関の点火装置であって、
混合気の空燃比が理論空燃比よりも大きい所定比以上であるときは、電磁波発生源にて電磁波を発生させて電磁波放射器から燃焼室内へ向けて放射する方を選択する、内燃機関の点火装置。
【請求項８】
燃焼室内の混合気に点火する内燃機関の点火装置であって、
燃焼室内に突出する放電用電極間に直流電圧が印加されることで発生する直流放電により燃焼室内の混合気に点火することが可能な点火栓と、
電磁波を発生させるための電磁波発生源と、
電磁波発生源にて発生した電磁波を点火栓へ伝搬させるための電磁波伝送手段と、
燃焼室に臨んで配設された電極であって、燃焼室内に電磁波が伝搬した場合に該電極近傍にて燃焼室内の電磁波の電界強度を局所的に高めるための点火用電極と、
を備え、
放電用電極間に直流電圧を印加した場合は、放電用電極間に発生する直流放電により燃焼室内の混合気に点火し、
電磁波発生源にて電磁波を発生させた場合は、点火栓が電磁波を放電用電極から燃焼室内へ向けて放射し、点火用電極がその近傍にて燃焼室内の電磁波の電界強度を局所的に高めることで発生するプラズマ放電により燃焼室内の混合気に点火する、内燃機関の点火装置。
【請求項９】
請求項８に記載の内燃機関の点火装置であって、
電磁波伝送手段は、導波管を含み、
点火栓の一端部が導波管内に挿入されており、
放電用電極が点火栓の他端部にて燃焼室内に突出している、内燃機関の点火装置。
【請求項１０】
請求項８または９に記載の内燃機関の点火装置であって、
放電用電極の燃焼室内への突出長さが、電磁波の波長の０．１７倍以上且つ０．３３倍以下に設定されている、内燃機関の点火装置。
【請求項１１】
請求項８〜１０のいずれか１に記載の内燃機関の点火装置であって、
点火用電極の燃焼室内への突出長さが、電磁波の波長の０．１７倍以上且つ０．３３倍以下に設定されている、内燃機関の点火装置。
【請求項１２】
燃焼室内の混合気に点火する内燃機関の点火装置であって、
電磁波を発生させるための電磁波発生源と、
電磁波発生源にて発生した電磁波を燃焼室内へ向けて放射するための電磁波放射器と、
燃焼室内に突出して配設された電極であって、該電極近傍にて燃焼室内の電磁波の電界強度を局所的に高めるための点火用電極と、
を備え、
点火用電極の燃焼室内への突出長さが、電磁波の波長の０．１７倍以上且つ０．３３倍以下に設定されており、
点火用電極がその近傍にて燃焼室内の電磁波の電界強度を局所的に高めることで発生するプラズマ放電により燃焼室内の混合気に点火する、内燃機関の点火装置。
【請求項１３】
点火装置により燃焼室内の混合気に点火する内燃機関であって、
前記点火装置が、請求項１〜１２のいずれか１に記載の内燃機関の点火装置である、内燃機関。
【発明の詳細な説明】
【技術分野】
【０００１】
本発明は、内燃機関及びその点火装置に関し、特に、電磁波を利用して燃焼室内の混合気に点火することが可能な内燃機関及びその点火装置に関する。
【背景技術】
【０００２】
この種の内燃機関の点火装置として、下記特許文献１に示すものが開示されている。以下、特許文献１の内燃機関の点火装置について、図１７を用いて説明する。
【０００３】
図１７に示す点火装置１０１において、同軸的な共振器（同軸線路）１０３は、外側導体１０４及び内側導体１０５から成っている。共振器１０３の内側導体１０５の一端部に設けられた結合箇所１０７には、供給線路１０８が同軸的に誘導式及び／又は容量式に結合されており、マイクロ波電源により発生させた高周波信号（電磁波）がこの供給線路１０８を介して共振器１０３に供給される。一方、共振器１０３の開放した内側導体１０５の他端部１０５ａは内燃機関の燃焼室内に突入しており、この他端部１０５ａが点火ピンとして燃焼室内の混合気の点火を行う。
【０００４】
その他にも、下記特許文献２〜５による内燃機関の点火装置が開示されている。また、内燃機関のピストン位置を検出するためにマイクロ波を使用する技術が下記特許文献６に開示されている。
【０００５】
【特許文献１】特開２００４−８７４９８号公報
【特許文献２】特開２００６−１３２５１８号公報
【特許文献３】特開２００５−１８３３９６号公報
【特許文献４】特開２００５−１８０４４６号公報
【特許文献５】特開２００５−１８０４３５号公報
【特許文献６】米国特許第４４０３５０４号明細書
【発明の開示】
【発明が解決しようとする課題】
【０００６】
電磁波を燃焼室内へ向けて放射して混合気に点火する点火装置では、点火栓に直流電圧を印加して混合気に点火する点火装置と比較して、より希薄な混合気を着火させることが可能となるものの、混合気の着火の際に消費される電気エネルギーが増大する。そのため、電磁波を利用して燃焼室内の混合気に点火することが可能な点火装置において、構成の複雑化を招くことなく、より少ないエネルギー消費で混合気に効率よく点火できることが要求される。
【０００７】
本発明は、構成の複雑化を招くことなく、より少ないエネルギー消費で燃焼室内の混合気に効率よく点火することができる内燃機関及びその点火装置を提供することを目的とする。
【課題を解決するための手段】
【０００８】
本発明に係る内燃機関及びその点火装置は、上述した目的を達成するために以下の手段を採った。
【０００９】
本発明に係る内燃機関の点火装置は、燃焼室内の混合気に点火する内燃機関の点火装置であって、燃焼室内に突出する点火用電極間に直流電圧が印加されることで発生する直流放電により燃焼室内の混合気に点火することが可能な点火栓と、電磁波を発生させるための電磁波発生源と、電磁波発生源にて発生した電磁波を燃焼室内へ向けて放射するための電磁波放射器と、を備え、点火栓は、点火用電極間に直流電圧が印加された場合は、点火用電極間に発生する直流放電により燃焼室内の混合気に点火し、電磁波発生源にて発生した電磁波が電磁波放射器から燃焼室内へ向けて放射された場合は、点火用電極近傍にて燃焼室内の電磁波の電界強度を局所的に高めることで発生するプラズマ放電により燃焼室内の混合気に点火することを要旨とする。
【００１０】
本発明においては、点火栓の点火用電極間に直流電圧を印加して、点火用電極間に直流放電を発生させることで、燃焼室内の混合気に点火することができる。さらに、燃焼室内へ向けて電磁波を放射して、点火栓の点火用電極近傍にて燃焼室内の電磁波の電界強度を局所的に高めることで発生するプラズマ放電によっても、燃焼室内の混合気に点火することができる。このように、電磁波を用いたプラズマ放電による点火だけでなく、点火栓の直流放電による点火も行うことで、混合気の着火の際に消費されるエネルギーを低減することができる。さらに、点火栓を利用して、燃焼室内の電磁波の電界強度を局所的に高めてプラズマ放電を発生させることができるので、装置の構成の複雑化を招くこともない。したがって、本発明によれば、構成の複雑化を招くことなく、より少ないエネルギー消費で燃焼室内の混合気に効率よく点火することができる。
【００１１】
本発明の一態様では、点火用電極の燃焼室内への突出長さが、電磁波の波長の０．１７倍以上且つ０．３３倍以下に設定されていることが好適である。この態様によれば、点火用電極近傍にて燃焼室内の電磁波の電界強度を効率よく高めることができ、プラズマ放電を効率よく発生させることができる。
【００１２】
本発明の一態様では、電磁波発生源にて発生した電磁波を点火栓へ供給するための電磁波伝送手段を備え、電磁波放射器として点火栓が電磁波発生源にて発生した電磁波を点火用電極から燃焼室内へ向けて放射することが好適である。この態様によれば、点火栓を利用して、電磁波を燃焼室内へ向けて放射することができるとともに、燃焼室内の電磁波の電界強度を局所的に高めてプラズマ放電を発生させることができるので、装置の構成の簡略化を図ることができる。また、この態様では、電磁波伝送手段は、導波管を含み、点火栓の一端部が導波管内に挿入されており、点火用電極が点火栓の他端部にて燃焼室内に突出していることが好適である。
【００１３】
本発明の一態様では、燃焼室内の混合気に点火する際に、点火用電極間に直流電圧を印加するか、電磁波発生源にて電磁波を発生させて電磁波放射器から燃焼室内へ向けて放射するかを、混合気の空燃比に基づいて選択することが好適である。この態様によれば、混合気の空燃比に基づいて適切な点火方法を選択することができる。また、この態様では、混合気の空燃比が理論空燃比及びその近傍の範囲内であるときは、点火用電極間に直流電圧を印加する方を選択することで、混合気の着火の際に消費されるエネルギーを低減することができる。また、この態様では、混合気の空燃比が理論空燃比よりも大きい所定比以上であるときは、電磁波発生源にて電磁波を発生させて電磁波放射器から燃焼室内へ向けて放射する方を選択することで、より希薄な混合気を着火させることができる。
【００１４】
また、本発明に係る内燃機関の点火装置は、燃焼室内の混合気に点火する内燃機関の点火装置であって、燃焼室内に突出する放電用電極間に直流電圧が印加されることで発生する直流放電により燃焼室内の混合気に点火することが可能な点火栓と、電磁波を発生させるための電磁波発生源と、電磁波発生源にて発生した電磁波を点火栓へ伝搬させるための電磁波伝送手段と、燃焼室に臨んで配設された電極であって、燃焼室内に電磁波が伝搬した場合に該電極近傍にて燃焼室内の電磁波の電界強度を局所的に高めるための点火用電極と、を備え、放電用電極間に直流電圧を印加した場合は、放電用電極間に発生する直流放電により燃焼室内の混合気に点火し、電磁波発生源にて電磁波を発生させた場合は、点火栓が電磁波を放電用電極から燃焼室内へ向けて放射し、点火用電極がその近傍にて燃焼室内の電磁波の電界強度を局所的に高めることで発生するプラズマ放電により燃焼室内の混合気に点火することを要旨とする。
【００１５】
本発明においては、点火栓の放電用電極間に直流電圧を印加して、放電用電極間に直流放電を発生させることで、燃焼室内の混合気に点火することができる。さらに、点火栓の放電用電極から燃焼室内へ向けて電磁波を放射して、点火用電極近傍にて燃焼室内の電磁波の電界強度を局所的に高めることで発生するプラズマ放電によっても、燃焼室内の混合気に点火することができる。このように、電磁波を用いたプラズマ放電による点火だけでなく、点火栓の直流放電による点火も行うことで、混合気の着火の際に消費されるエネルギーを低減することができる。さらに、点火栓を利用して、電磁波を燃焼室内へ向けて放射することができるので、装置の構成の複雑化を招くこともない。したがって、本発明によれば、構成の複雑化を招くことなく、より少ないエネルギー消費で燃焼室内の混合気に効率よく点火することができる。
【００１６】
本発明の一態様では、電磁波伝送手段は、導波管を含み、点火栓の一端部が導波管内に挿入されており、放電用電極が点火栓の他端部にて燃焼室内に突出していることが好適である。また、本発明の一態様では、点火用電極として放電用電極が燃焼室内に電磁波が伝搬した場合に該電極近傍にて燃焼室内の電磁波の電界強度を局所的に高めることが好適である。この態様によれば、点火栓を利用して、電磁波を燃焼室内へ向けて放射することができるとともに、燃焼室内の電磁波の電界強度を局所的に高めてプラズマ放電を発生させることができるので、装置の構成の簡略化を図ることができる。
【００１７】
本発明の一態様では、放電用電極の燃焼室内への突出長さが、電磁波の波長の０．１７倍以上且つ０．３３倍以下に設定されていることで、電磁波を放電用電極から燃焼室内へ向けて効率よく放射することができる。また、本発明の一態様では、点火用電極の燃焼室内への突出長さが、電磁波の波長の０．１７倍以上且つ０．３３倍以下に設定されていることで、点火用電極近傍にて燃焼室内の電磁波の電界強度を効率よく高めることができ、プラズマ放電を効率よく発生させることができる。
【００１８】
また、本発明に係る内燃機関の点火装置は、燃焼室内の混合気に点火する内燃機関の点火装置であって、電磁波を発生させるための電磁波発生源と、電磁波発生源にて発生した電磁波を燃焼室内へ向けて放射するための電磁波放射器と、燃焼室内に突出して配設された電極であって、該電極近傍にて燃焼室内の電磁波の電界強度を局所的に高めるための点火用電極と、を備え、点火用電極の燃焼室内への突出長さが、電磁波の波長の０．１７倍以上且つ０．３３倍以下に設定されており、点火用電極がその近傍にて燃焼室内の電磁波の電界強度を局所的に高めることで発生するプラズマ放電により燃焼室内の混合気に点火することを要旨とする。
【００１９】
本発明においては、燃焼室内の混合気に点火する際に、点火用電極近傍にて燃焼室内の電磁波の電界強度を効率よく高めることができ、プラズマ放電を効率よく発生させることができる。したがって、本発明によれば、構成の複雑化を招くことなく、より少ないエネルギー消費で燃焼室内の混合気に効率よく点火することができる。
【００２０】
また、本発明に係る内燃機関は、点火装置により燃焼室内の混合気に点火する内燃機関であって、前記点火装置が、本発明に係る内燃機関の点火装置であることを要旨とする。
【発明を実施するための最良の形態】
【００２１】
以下、本発明を実施するための形態（以下実施形態という）を図面に従って説明する。
【００２２】
「実施形態１」
図１は、本発明の実施形態１に係る内燃機関の点火装置の概略構成を内燃機関とともに示す図である。本実施形態に係る内燃機関の点火装置は、電磁波を燃焼室３内へ向けて放射することで、燃焼室３内の混合気（空気・燃料混合気）に点火することが可能である。
【００２３】
内燃機関（エンジン）は、シリンダブロック２０及びシリンダヘッド２２を備え、シリンダブロック２０及びシリンダヘッド２２によりシリンダを形成する。シリンダブロック２０に形成されたシリンダボアには、その軸線方向に往復運動するピストン１１が収容されている。ピストン１１の頂面、シリンダブロック２０の内壁、及びシリンダヘッド２２に囲まれた空間は、燃焼室３を形成する。
【００２４】
電磁波発生電源１は、例えば固体素子やマグネトロンや進行波増幅管により構成することができ、電磁波（例えばマイクロ波）を発生、増幅させる役割を果たす。電磁波発生電源１は、電磁波のゲイン及びパルス幅を制御することで、その出力を制御することができる。電磁波発生電源１は、燃焼室３内の混合気に点火する際に電磁波を発生し、発生した電磁波は電磁波伝送路２を伝搬する。
【００２５】
電磁波伝送路２は、シリンダヘッド２２の内部を通ってその端部が燃焼室３に臨んでいる。電磁波伝送路２の端部には、電磁波発生電源１にて発生し電磁波伝送路２を伝搬した電磁波を放射する電磁波放射器４が設けられている。このように、電磁波放射器４が燃焼室３に臨む状態でシリンダヘッド２２に配設されていることで、電磁波放射器４から燃焼室３内へ向けて電磁波が放射される。ここでの電磁波放射器４については、高い効率で電磁波を燃焼室３内に放射するために、使用する電磁波の波長の１７〜３３％に相当する長さｘ１を燃焼室３内へ突出させている。つまり、電磁波放射器４の燃焼室３内への突出長さ（挿入長）ｘ１が、使用する電磁波の波長の０．１７倍以上且つ０．３３倍以下に設定されている。
【００２６】
なお、ここでの電磁波伝送路２としては、例えば同軸ケーブルや導波管等を用いることができる。電磁波伝送路２として同軸ケーブルを用いた場合は、例えば同軸ケーブルの開放した内側導体端部により、電磁波放射器４を構成することができる。一方、電磁波伝送路２として導波管を用いた場合は、例えば導波管の開放した端部を混合気が導波管内に流入しないように絶縁体（例えば誘電率の低いセラミック等の誘電体）で埋めることにより、電磁波放射器４を構成することができる。また、導電体により構成されるピストン１１、シリンダブロック２０、及びシリンダヘッド２２は、接地導体として機能することで、燃焼室３内の電磁波をシールドする役割も果たしている。
【００２７】
そして、本実施形態においては、点火用電極１０が燃焼室３に臨んでシリンダヘッド２２に取り付けられている。ここでの点火用電極１０については、シリンダヘッド２２（導電体）の下面に対して、使用する電磁波の波長の１７〜３３％に相当する長さｘ２を燃焼室３内へ突出させている。つまり、点火用電極１０の燃焼室３内への突出長さ（挿入長）ｘ２が、使用する電磁波の波長の０．１７倍以上且つ０．３３倍以下に設定されている。図１では、点火用電極１０が燃焼室３上面の中央部に配置されており、点火用電極１０における燃焼室３内に突出した先端部が鋭角な円錐形状である例を示している。
【００２８】
この点火用電極１０は、その近傍にて燃焼室３内の電磁波の電界強度を局所的に高める役割を果たす。すなわち、電磁波放射器４から放射された電磁波は燃焼室３内を満たすが、点火用電極１０の先端部近傍では、点火用電極１０と燃焼室３内の空間の透磁率の違いから燃焼室３内の電磁波の平均電界の数十倍から数百倍程度の高電界を得ることができる。その結果、点火用電極１０の先端部近傍において、電磁波供給に伴って燃焼室３内の空間中に電流が流れるブレークダウンが発生する。そして、それが起点となって、燃焼室３内の広い範囲でプラズマ放電が発生することで、燃焼室３内の混合気に点火することができる。ここでのプラズマ放電が発生する領域は、電磁波エネルギーの供給量に応じて変化する。本実施形態では、内燃機関の運転条件に応じて燃焼室３内に供給する電磁波エネルギーを調整することで、適切な混合気の燃焼を実現することができる。なお、典型的な例としては、１Ｊ程度のエネルギーの電磁波を電磁波放射器４から放射することで、プラズマ放電を発生させることができ、混合気の点火を行うことができる。
【００２９】
さらに、接地した円柱形状の密閉容器（定容容器）２３を用いた基礎的な計算及び試験結果に基づいて、上記作用について詳述する。図２に示すように、接地した金属容器２３の下平面中心部には電磁波放射器４が、その上面には点火用電極１０がそれぞれ設けられている。ここでの電磁波放射器４及び点火用電極１０については、容器２３内への挿入長を任意に変えることができる。電磁波放射器４から容器２３内に電磁波を放射すると、容器２３内には電界分布が生じる。容器２３内の電界は、図２に示すように、電磁波放射器４と点火用電極１０の近傍で高くなる。
【００３０】
ここで、電磁波放射器４の容器２３内への挿入長を一定に保った（供給する電磁波波長の１／４に固定した）状態で、点火用電極１０の容器２３内への挿入長を変化させる。その場合における点火用電極１０の挿入長と点火用電極１０直下の電界強度との関係を図３に示す。ただし、図３では、点火用電極１０の挿入長を電磁波波長で割った無次元長さとしている。図３に示すように、点火用電極１０直下の電界強度は、無次元長さが０．１７以上（点火用電極１０の挿入長が電磁波波長の０．１７倍以上）になるとほぼ飽和し、無次元長さが０．２５である（点火用電極１０の挿入長が電磁波波長の１／４である）場合に最大となる。そして、点火用電極１０直下の電界強度は、無次元長さが０．３３以上（点火用電極１０の挿入長が電磁波波長の０．３３倍以上）になると急激に減少する。なお、ここでは、点火用電極１０の挿入長を変えた場合の電界強度の変化について述べたが、電磁波放射器４の挿入長を変えた場合でも、同様の電界強度の変化が生じる。
【００３１】
容器２３内に突出した点火用電極１０は、その近傍の電界を局所的に集中させる働きをする。電界集中が生じる効果は、点火用電極１０の挿入長に依存し、供給する電磁波波長の１７〜３３％に相当する長さで顕著に得られ、供給する電磁波波長の２５％に相当する長さで最大となる。そして、電界集中の度合いは、点火用電極１０の形状にも依存し、特に、その先端部が細く、鋭角である場合に電界集中の度合いが増す。
【００３２】
また、本試験では、無次元長さをほぼ０．１７以上にすると、定容容器２３上面の広い範囲でプラズマ放電が発生した。これは高い電界により容器２３内の空気がブレークダウンし、それを起点として広い範囲にプラズマ放電が誘起されたものである。そして、そのプラズマ放電が発生する範囲は、電磁波エネルギーの供給量に応じて変化することが確認できた。さらに、容器２３内に炭化水素予混合気を供給して、上述したプラズマ放電が生じる条件を整えると、従来型式の点火系では着火させることができない非常に希薄な予混合気でも、容易に着火・燃焼することが確認できた。プラズマ放電を効率よく発生させるためには、点火用電極１０近傍の電界強度が（最大値に）ほぼ飽和する範囲内に点火用電極１０の挿入長を設定することが有効である。
【００３３】
以上の結果から、本実施形態では、点火用電極１０の燃焼室３内への突出長さｘ２を電磁波波長の０．１７倍以上且つ０．３３倍以下に設定することで、その近傍の電界強度を効率よく高めることができ、燃焼室３内の広い範囲でプラズマ放電を効率よく発生させることができる。そのため、装置の構成の複雑化を招くことなく、より少ない電磁波エネルギーで燃焼室３内の混合気に効率よく点火することができる。その結果、より希薄な混合気を効率よく着火させることが可能となり、高い熱効率で低ＮＯｘの燃焼を実現することができる。さらに、点火用電極１０の燃焼室３内への突出長さｘ２を電磁波波長の０．２５倍（あるいはその近傍）に設定することで、その近傍の電界強度が最も高くなるため、最も効率よくプラズマ放電を発生させることができる。また、本実施形態では、点火用電極１０の燃焼室３内への突出長さｘ２を電磁波波長の０．１７倍（あるいはその近傍）に設定することで、点火用電極１０への熱負荷を低減しながらプラズマ放電を効率よく発生させることができる。なお、本実施形態では、プラズマ放電を効率よく発生させるために、点火用電極１０の突出長さｘ２を電磁波波長の０．２５倍に設定したときの点火用電極１０近傍の電界強度を１（最大電界値）として、点火用電極１０近傍の電界強度が最大電界値の０．９倍以上（且つ１．０倍以下）になるように、点火用電極１０の突出長さｘ２を設定することもできる。
【００３４】
「実施形態２」
図４，５は、本発明の実施形態２に係る内燃機関の点火装置の概略構成を内燃機関とともに示す図である。以下の実施形態２の説明では、実施形態１と同様の構成または対応する構成には同一の符号を付し、重複する説明を省略する。
【００３５】
本実施形態では、実施形態１と比較して、点火用電極として中心電極５１及び接地電極５３を有する点火栓３１が燃焼室３に臨んでシリンダヘッド２２に取り付けられている。図４，５に示す例では、点火栓３１が燃焼室３上面の中央部に配置されている。中心電極５１は、その両端部を除いて絶縁体５５により被覆されている。点火栓３１と直流電源３３との間には、スイッチング素子３４及び点火用コイル３５を有する直流点火用回路３０が設けられており、点火栓３１の一端部３１ａ（中心電極５１）が直流用コード３２を介して点火用コイル３５に接続されている。中心電極５１の先端部５１ａ及び接地電極５３の先端部５３ａは、点火栓３１の他端部３１ｂにて燃焼室３内に突出しており、中心電極５１の先端部５１ａと接地電極５３の先端部５３ａとの間には空隙５２が形成されている。直流点火用回路３０により点火栓３１の中心電極５１と接地電極５３との間に直流電圧を印加することで、中心電極５１の先端部５１ａと接地電極５３の先端部５３ａとの間の空隙５２に直流放電が発生する。つまり、点火栓３１は、点火用コイル３５もしくはコンデンサ（図示せず）に蓄積された電気エネルギーを利用して直流放電を行うことが可能である。この直流放電によって、燃焼室３内の混合気に点火することができる。
【００３６】
さらに、本実施形態では、電磁波発生電源１にて発生させた電磁波を電磁波放射器４から燃焼室３内に放射することによっても、燃焼室３内の混合気に点火することができる。その場合は、点火栓３１を燃焼室３内の電磁波の電界強度を局所的に高めるための点火用電極１０として用いる。図５に示すように、点火栓３１の他端部３１ｂに設けられた接地電極５３については、その近傍での電界強度を効率よく高めるために、シリンダヘッド２２の下面に対して、使用する電磁波の波長の１７〜３３％に相当する長さｘ２を燃焼室３内へ突出させることが好ましい。つまり、接地電極５３の燃焼室３内への突出長さ（挿入長）ｘ２が、使用する電磁波の波長の０．１７倍以上且つ０．３３倍以下に設定されていることが好ましい。
【００３７】
本実施形態では、点火栓３１は、中心電極５１と接地電極５３との間に直流電圧が印加された場合は、中心電極５１の先端部５１ａと接地電極５３の先端部５３ａとの間の空隙５２に発生する直流放電により燃焼室３内の混合気に点火することができる。一方、電磁波発生電源１にて発生した電磁波が電磁波放射器４から燃焼室３内へ向けて放射された場合は、点火栓３１は、中心電極５１の先端部５１ａ近傍及び接地電極５３の先端部５３ａ近傍（あるいはそれらのいずれか一方）にて燃焼室３内の電磁波の電界強度を局所的に高めることで発生するプラズマ放電により燃焼室３内の混合気に点火することができる。このように、電磁波を用いたプラズマ放電による点火だけでなく、点火栓３１の直流放電による点火も行うことで、混合気の着火の際に消費される電気エネルギーを低減することができる。典型的な例としては、電磁波を利用して点火を行う場合は、混合気の着火に１Ｊ程度の電磁波のエネルギーを必要とするのに対して、直流放電により点火を行う場合は、５０ｍＪ程度の電気エネルギーで混合気の着火を行うことが可能である。さらに、点火栓３１を利用して、燃焼室３内の電磁波の電界強度を局所的に高めてプラズマ放電を発生させることができるので、装置の構成の複雑化を招くこともない。したがって、本実施形態によれば、構成の複雑化を招くことなく、より少ないエネルギー消費で燃焼室３内の混合気に効率よく点火することができる。
【００３８】
さらに、本実施形態では、点火栓３１の接地電極５３の燃焼室３内への突出長さｘ２を電磁波波長の０．１７倍以上且つ０．３３倍以下に設定することで、その近傍の電界強度を効率よく高めることができ、燃焼室３内の広い範囲でプラズマ放電を効率よく発生させることができる。さらに、接地電極５３の燃焼室３内への突出長さｘ２を電磁波波長の０．２５倍（あるいはその近傍）に設定することで、その近傍の電界強度が最も高くなるため、最も効率よくプラズマ放電を発生させることができる。また、接地電極５３の燃焼室３内への突出長さｘ２を電磁波波長の０．１７倍（あるいはその近傍）に設定することで、点火栓３１への熱負荷を低減しながらプラズマ放電を効率よく発生させることができる。
【００３９】
本実施形態では、燃焼室３内の混合気に点火する際に、中心電極５１と接地電極５３との間に直流電圧を印加するか、電磁波発生電源１にて電磁波を発生させて電磁波放射器４から燃焼室３内へ向けて放射するかを、電子制御装置により選択することができる。以下、電子制御装置により燃焼室３内の混合気に点火する方法の好適な具体例について説明する。
【００４０】
実施形態１における容器２３を用いて、点火栓３１の中心電極５１と接地電極５３との間に直流電圧を印加した場合と、電磁波放射器４から電磁波を放射した場合とにおける燃焼特性の相違を調べた結果を図６，７に示す。図６の細線は、中心電極５１と接地電極５３との間に直流電圧を印加した場合（直流放電により点火を行う場合）における容器２３内の圧力履歴を示す。直流放電により点火を行う場合は、当量比φ１．０（理論混合比）とφ０．８の混合気では正常に燃焼したが、φ０．６の混合気では着火せず、圧力上昇は認められなかった。
【００４１】
一方、図６の太線は、電磁波放射器４から電磁波を放射した場合（プラズマ放電により点火を行う場合）における容器２３内の圧力履歴を示す。プラズマ放電により点火を行う場合は、図６の太線に示すように、φ０．６の混合気に留まらず、φ０．４の混合気でも燃焼に伴う圧力上昇を確認することができた。この結果は、電磁波を利用したプラズマ放電による点火が、直流放電による点火と比較して、希薄燃焼限界を向上させる上で非常に高い効果があることを示している。
【００４２】
ただし、直流放電による点火で燃焼可能な当量比φの範囲においては、電磁波を利用した点火による効果は限定されている。図７は、φ０．８の混合気において、直流放電により点火を行う場合（直流放電点火系）と、プラズマ放電により点火を行う場合（電磁波点火系）における容器２３内の圧力履歴を示す。図７に示すように、φ０．８の混合気では、電磁波を利用してプラズマ放電により点火を行っても、直流放電による点火と比較して、１０％程度の燃焼促進効果に留まっていることがわかる。そのため、理論混合比近傍の燃焼では、電磁波を利用して点火を行っても、混合気の燃焼促進効果に制約があることがわかる。
【００４３】
以上の結果から、燃焼室３内の混合気の空燃比が理論空燃比及びその近傍の範囲内であるときは、電子制御装置は、点火栓３１の中心電極５１と接地電極５３との間に直流電圧を印加する方、つまり直流放電により燃焼室３内の混合気に点火する方を選択することが好ましい。これによって、燃焼室３内の混合気に点火する際に消費される電気エネルギーを低減することができる。一方、燃焼室３内の混合気の空燃比が理論空燃比よりも大きい所定比以上であるとき、つまり希薄燃焼させるときは、電子制御装置は、電磁波発生電源１にて電磁波を発生させて電磁波放射器４から燃焼室３内へ向けて放射する方、つまりプラズマ放電により燃焼室３内の混合気に点火する方を選択することが好ましい。これによって、直流放電では着火が困難な希薄混合気でも燃焼させることができるので、低燃費と低エミッションを実現することができる。なお、燃焼室３内の混合気の空燃比については、例えば吸入空気量及び燃料噴射量に基づいて算出することができる。
【００４４】
次に、本実施形態の他の構成例について説明する。
【００４５】
図８は、吸気通路６、排気通路７，吸気弁８、及び排気弁９を図示しており、電磁波放射器４を吸気通路６に臨ませて配設した例を示す。その場合は、吸気弁８もしくはその一部を非導電材（例えば誘電率の低いセラミック等の誘電体）により構成する。これによって、吸気弁８が閉じている状態でも、電磁波放射器４から吸気通路６に放射された電磁波は、吸気弁８を透過して燃焼室３内へ伝搬する。このように、電磁波放射器４を吸気通路６に臨ませることによっても、電磁波を燃焼室３内へ向けて放射することが可能である。
【００４６】
図９は、電磁波放射器４をピストン１１の下部に配設した例を示す。その場合は、ピストン１１の頂部１１ａもしくはその一部を非導電材（例えば誘電率の低いセラミック等の誘電体）により構成する。これによって、電磁波放射器４から放射された電磁波は、ピストン１１（頂部１１ａ）を透過して燃焼室３内へ伝搬する。このように、電磁波放射器４をピストン１１の下部に配設することによっても、電磁波を燃焼室３内へ向けて放射することが可能である。
【００４７】
「実施形態３」
図１０，１１は、本発明の実施形態３に係る内燃機関の点火装置の概略構成を内燃機関とともに示す図である。以下の実施形態３の説明では、実施形態１，２と同様の構成または対応する構成には同一の符号を付し、重複する説明を省略する。
【００４８】
本実施形態では、実施形態２と比較して、点火栓３１を、燃焼室３内の電磁波の電界強度を局所的に高めることでプラズマ放電を発生させるための点火用電極１０として用いるだけでなく、電磁波を燃焼室３内へ向けて放射する電磁波放射器４としても用いる。さらに、実施形態２と同様に、点火栓３１の中心電極５１の先端部５１ａと接地電極５３の先端部５３ａとの間の空隙５２に発生する直流放電によっても、燃焼室３内の混合気に点火することができる。
【００４９】
点火栓３１を介して電磁波放電と直流放電のいずれかを行わせるために、点火栓３１と電磁波発生電源１、ならびに点火栓３１と直流点火用回路３０との間には、電磁波と直流電流の両方を効率よく通電させることが可能な結合器１４が設けられている。ここでの結合器１４は、電磁波伝送手段としての導波管５７を有する。図１１に示すように、同軸構造を有する電磁波伝送路２は、導波管５７の一端部５７ａに対して、その中心電極２ａを導波管５７内に突出させている。ここでの中心電極２ａの導波管５７内への突出長さ（挿入長）ｘ３は、使用する電磁波の波長の１／４またはそのｎ倍（ｎは２以上の整数）に設定されている。電磁波伝送路２は、その中心電極２ａが導波管５７の中心軸と一致するように、導波管５７の一端部５７ａに接続されている。
【００５０】
さらに、点火栓３１の一端部３１ａは、導波管５７の他端部５７ｂから導波管５７内に挿入されている。導波管５７内に挿入された点火栓３１の部位は、中心電極５１と、それを被覆する絶縁体５５と、を含む。点火栓３１（中心電極５１）の導波管５７内への挿入長ｘ４は、使用する電磁波の波長の１／４またはそのｎ倍（ｎは２以上の整数）に設定されている。点火栓３１は、その中心電極５１が導波管５７の中心軸と一致するように、導波管５７内に挿入されている。本実施形態でも、点火栓３１の他端部３１ｂに設けられた接地電極５３については、シリンダヘッド２２の下面に対して、使用する電磁波の波長の１７〜３３％に相当する長さｘ２を燃焼室３内へ突出させることが好ましい。つまり、接地電極５３の燃焼室３内への突出長さ（挿入長）ｘ２が、使用する電磁波の波長の０．１７倍以上且つ０．３３倍以下に設定されていることが好ましい。そして、本実施形態でも、中心電極５１の燃焼室３内への突出長さ（挿入長）を、使用する電磁波の波長の０．１７倍以上且つ０．３３倍以下に設定することもできる。
【００５１】
上記の構成により、電磁波発生電源１で発生した電磁波は、電磁波伝送路２を介して導波管５７内へ効率よく放射される。導波管５７内を伝搬する電磁波は、点火栓３１の一端部３１ａへ効率よく供給される。そして、点火栓３１が、その一端部３１ａに供給された電磁波をその他端部３１ｂ（中心電極５１の先端部５１ａ）から燃焼室３内へ向けて効率よく放射することができる。つまり、点火栓３１を電磁波放射器４として機能させることができる。そして、中心電極５１の先端部５１ａ近傍及び接地電極５３の先端部５３ａ近傍（あるいはそれらのいずれか一方）にて燃焼室３内の電磁波の電界強度が局所的に高まることで発生するプラズマ放電により燃焼室３内の混合気に点火することができる。つまり、点火栓３１を点火用電極１０としても機能させることができる。
【００５２】
また、直流用コード３２は、図１１に示すように、導波管５７の側面５７ｃに設けられた縦スリット５８を通って点火栓３１の一端部３１ａ（中心電極５１）に接続されている。そのため、電磁波発生電源１で電磁波を発生させない場合には、直流点火用回路３０により点火栓３１の中心電極５１と接地電極５３との間に直流電圧を印加することができ、中心電極５１の先端部５１ａと接地電極５３の先端部５３ａとの間の空隙５２に発生する直流放電により燃焼室３内の混合気に点火することができる。
【００５３】
以上説明した本実施形態でも、点火栓３１を利用して、プラズマ放電による点火及び直流放電による点火のいずれかを選択的に行うことで、構成の複雑化を招くことなく、より少ないエネルギー消費で燃焼室３内の混合気に効率よく点火することができる。さらに、本実施形態では、点火栓３１を利用して、電磁波を燃焼室３内へ向けて放射することもできるので、装置の構成の簡略化を図ることができる。
【００５４】
さらに、本実施形態では、点火栓３１の接地電極５３の燃焼室３内への突出長さｘ２を電磁波波長の０．１７倍以上且つ０．３３倍以下に設定することで、効率のよい電界集中を行うことができる。さらに、接地電極５３の燃焼室３内への突出長さｘ２を電磁波波長の０．２５倍（あるいはその近傍）に設定することで、電界集中を最も効率よく行うことができる。また、接地電極５３の燃焼室３内への突出長さｘ２を電磁波波長の０．１７倍（あるいはその近傍）に設定することで、点火栓３１への熱負荷を低減しながら電界集中を効率よく行うことができる。
【００５５】
また、本実施形態では、点火栓３１の中心電極５１の燃焼室３内への突出長さを電磁波波長の０．１７倍以上且つ０．３３倍以下に設定することで、燃焼室３内へ向けた効率のよい電磁波放射を行うことができる。さらに、中心電極５１の燃焼室３内への突出長さを電磁波波長の０．２５倍（あるいはその近傍）に設定することで、電磁波放射を最も効率よく行うことができる。また、中心電極５１の燃焼室３内への突出長さを電磁波波長の０．１７倍（あるいはその近傍）に設定することで、点火栓３１への熱負荷を低減しながら電磁波放射を効率よく行うことができる。
【００５６】
本実施形態では、図１２に示すように、同軸構造を有する電磁波伝送路２を導波管５７の側面５７ｃに接続し、電磁波伝送路２の中心電極２ａを導波管５７の側面５７ｃから導波管５７内に挿入することもできる。ここでの中心電極２ａの導波管５７内への突出長さ（挿入長）ｘ３についても、使用する電磁波の波長の１／４またはそのｎ倍（ｎは２以上の整数）に設定することが好ましい。そして、導波管５７の一端部５７ａに対する中心電極２ａの距離ｘ５についても、使用する電磁波の波長の１／４またはそのｎ倍（ｎは２以上の整数）に設定することが好ましい。また、図１２に示すように、点火栓３１の一端部３１ａの中心電極５１に調整電極５９を接続することで、点火栓３１の一端部３１ａの導波管５７内への挿入長ｘ４を、使用する電磁波の波長の１／４またはそのｎ倍（ｎは２以上の整数）に容易に調整することができる。
【００５７】
「実施形態４」
図１３，１４は、本発明の実施形態４に係る内燃機関の点火装置の概略構成を内燃機関とともに示す図である。以下の実施形態４の説明では、実施形態１〜３と同様の構成または対応する構成には同一の符号を付し、重複する説明を省略する。
【００５８】
本実施形態では、シリンダヘッド２２の下面に、点火栓３１と同軸となる環状の非導電体４０が設けられている。ここでの非導電体４０としては、例えばセラミックを用いることができる。環状の非導電体４０は、点火栓３１の他端部３１ｂの周囲を取り囲んでおり、中心電極５１及び接地電極５３は、非導電体４０の中央部に形成された穴を貫通することで、シリンダヘッド２２の下面に対して燃焼室３内に突出している。ここでの中心電極５１については、シリンダヘッド２２の下面（導電体）に対して、使用する電磁波の波長の１７〜３３％に相当する長さｘ６を燃焼室３内へ突出させることが好ましい。つまり、中心電極５１の燃焼室３内への突出長さ（挿入長）ｘ６が、使用する電磁波の波長の０．１７倍以上且つ０．３３倍以下に設定されていることが好ましい。そして、接地電極５３の燃焼室３内への突出長さ（挿入長）ｘ２も、使用する電磁波の波長の０．１７倍以上且つ０．３３倍以下に設定されていることが好ましい。これによって、点火栓３１を用いて、燃焼室３内へ向けた効率のよい電磁波放射、及び効率のよい電界集中を行うことができる。なお、中心電極５１の先端部５１ａと接地電極５３の先端部５３ａとの間の空隙５２は、０．３〜１．０ｍｍ程度に保たれており、電磁波を使用しない場合には、中心電極５１と接地電極５３との間に直流電圧を印加することで空隙５２に発生する直流放電により燃焼室３内の混合気に点火することができる。
【００５９】
点火栓３１の直流放電により点火を行う内燃機関では、点火栓３１の燃焼室３内への突出長さは、その熱負荷を考慮して５ｍｍ前後に設定されている。その場合、最適な電磁波の周波数は、十数ＧＨｚ程度の高い周波数となる。本実施形態では、点火栓３１の他端部３１ｂの周囲に非導電体４０を配設することで、点火栓３１への熱負荷を低減しながら、使用する電磁波の周波数を低くすることができ、使用する電磁波の周波数の自由度を高めることができる。
【００６０】
「実施形態５」
図１５は、本発明の実施形態５に係る内燃機関の点火装置の概略構成を内燃機関とともに示す図である。以下の実施形態５の説明では、実施形態１〜４と同様の構成または対応する構成には同一の符号を付し、重複する説明を省略する。
【００６１】
本実施形態の内燃機関は、燃料を筒内に直接噴射する筒内噴射式内燃機関であり、燃料噴射弁６１が燃焼室３に臨んでシリンダヘッド２２に取り付けられている。燃料タンク６４に貯溜された燃料は、燃料ポンプ６３により汲み上げられ、燃料配管６２内を通って燃料噴射弁６１に供給される。燃料噴射弁６１は、この供給された燃料を燃焼室３内へ噴射する。
【００６２】
本実施形態でも、実施形態３と同様に、点火栓３１を、電磁波を燃焼室３内へ向けて放射する電磁波放射器４として用いる。点火栓３１を電磁波放射器４として機能させるための具体的構成例については、実施形態３と同様である。さらに、本実施形態では、燃料噴射弁６１を、燃焼室３内の電磁波の電界強度を局所的に高めることでプラズマ放電を発生させるための点火用電極１０として用いる。燃料噴射弁６１の先端部近傍にて電磁波の電界強度を局所的に高めるために、燃料噴射弁６１の先端部は、導電体により構成され、燃焼室３内に突出している。ここでの燃料噴射弁６１についても、シリンダヘッド２２の下面に対して、使用する電磁波の波長の１７〜３３％に相当する長さを燃焼室３内へ突出させることが好ましい。つまり、燃料噴射弁６１の燃焼室３内への突出長さ（挿入長）が、使用する電磁波の波長の０．１７倍以上且つ０．３３倍以下に設定されていることが好ましい。これによって、燃料噴射弁６１近傍にて電界集中を効率よく行うことができる。例えば燃料噴射弁６１の燃焼室３内への突出長さを電磁波波長の０．２５倍（あるいはその近傍）に設定することで、電界集中を最も効率よく行うことができる。また、燃料噴射弁６１の燃焼室３内への突出長さを電磁波波長の０．１７倍（あるいはその近傍）に設定することで、燃料噴射弁６１への熱負荷を低減しながら電界集中を効率よく行うことができる。なお、図１５は、燃料噴射弁６１における燃焼室３内に突出した先端部が鋭角な円錐形状である例を示している。
【００６３】
以上説明した本実施形態でも、プラズマ放電による点火及び直流放電による点火のいずれかを選択的に行うことで、混合気の着火の際に消費される電気エネルギーを低減することができる。さらに、本実施形態では、点火栓３１を利用して、電磁波を燃焼室内へ向けて放射することができるので、装置の構成の複雑化を招くこともない。したがって、本実施形態によれば、構成の複雑化を招くことなく、より少ないエネルギー消費で燃焼室３内の混合気に効率よく点火することができる。
【００６４】
「実施形態６」
図１６は、本発明の実施形態６に係る内燃機関の点火装置の概略構成を内燃機関とともに示す図である。以下の実施形態６の説明では、実施形態１〜５と同様の構成または対応する構成には同一の符号を付し、重複する説明を省略する。
【００６５】
本実施形態では、燃焼室３内へ突出する複数の突出部１０ａが、吸気弁８、排気弁９、及びピストン１１の頂面に設けられている。各突出部１０ａは、その近傍にて電磁波の電界強度を局所的に高めるために、導電体により構成されている。つまり、本実施形態では、各突出部１０ａを、燃焼室３内の電磁波の電界強度を局所的に高めることでプラズマ放電を発生させるための点火用電極１０として用いる。ここでの各突出部１０ａの燃焼室３内への突出長さについても、使用する電磁波の波長の０．１７倍以上且つ０．３３倍以下に設定されていることが好ましい。これによって、各突出部１０ａ近傍にて電界強度を効率よく高めることができ、燃焼室３内の広い範囲でプラズマ放電を効率よく発生させることができる。なお、突出部１０ａについては、吸気弁８、排気弁９、及びピストン１１の頂面のいずれか１つ以上に設けられていてもよい。
【００６６】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００６７】
【図１】本発明の実施形態１に係る内燃機関の点火装置の概略構成を内燃機関とともに示す図である。
【図２】電磁波放射器から容器内に電磁波を放射した場合の容器内の電界分布を示す図である。
【図３】点火用電極の挿入長と点火用電極直下の電界強度との関係を示す図である。
【図４】本発明の実施形態２に係る内燃機関の点火装置の概略構成を内燃機関とともに示す図である。
【図５】本発明の実施形態２に係る内燃機関の点火装置の概略構成を示す図である。
【図６】点火栓の中心電極と接地電極との間に直流電圧を印加した場合と、電磁波放射器から電磁波を放射した場合とにおける燃焼特性の相違を調べた結果を示す図である。
【図７】点火栓の中心電極と接地電極との間に直流電圧を印加した場合と、電磁波放射器から電磁波を放射した場合とにおける燃焼特性の相違を調べた結果を示す図である。
【図８】本発明の実施形態２に係る内燃機関の点火装置の他の概略構成を内燃機関とともに示す図である。
【図９】本発明の実施形態２に係る内燃機関の点火装置の他の概略構成を内燃機関とともに示す図である。
【図１０】本発明の実施形態３に係る内燃機関の点火装置の概略構成を内燃機関とともに示す図である。
【図１１】本発明の実施形態３に係る内燃機関の点火装置の概略構成を示す図である。
【図１２】本発明の実施形態３に係る内燃機関の点火装置の他の概略構成を示す図である。
【図１３】本発明の実施形態４に係る内燃機関の点火装置の概略構成を内燃機関とともに示す図である。
【図１４】本発明の実施形態４に係る内燃機関の点火装置の概略構成を内燃機関とともに示す図である。
【図１５】本発明の実施形態５に係る内燃機関の点火装置の概略構成を内燃機関とともに示す図である。
【図１６】本発明の実施形態６に係る内燃機関の点火装置の概略構成を内燃機関とともに示す図である。
【図１７】従来における内燃機関の点火装置の概略構成を示す図である。
【符号の説明】
【００６８】
１  電磁波発生電源、２  電磁波伝送路、３  燃焼室、４  電磁波放射器、１０  点火用電極、１１  ピストン、１４  結合器、２０  シリンダブロック、２２  シリンダヘッド、３０  直流点火用回路、３１  点火栓、３２  直流用コード、３３  直流電源、５１  中心電極、５２  空隙、５３  接地電極、５５  絶縁体、５７  導波管、６１  燃料噴射弁。
【図１】
2008082286.tif 000003
【図２】
2008082286.tif 000004
【図３】
2008082286.tif 000005
【図４】
2008082286.tif 000006
【図５】
2008082286.tif 000007
【図６】
2008082286.tif 000008
【図７】
2008082286.tif 000009
【図８】
2008082286.tif 000010
【図９】
2008082286.tif 000011
【図１０】
2008082286.tif 000012
【図１１】
2008082286.tif 000013
【図１２】
2008082286.tif 000014
【図１３】
2008082286.tif 000015
【図１４】
2008082286.tif 000016
【図１５】
2008082286.tif 000017
【図１６】
2008082286.tif 000018
【図１７】
2008082286.tif 000019